(57)【特許請求の範囲】
【請求項１】
ハウジング本体と、円筒形状のインナーマグネット部の軸方向先端面に羽根部が形成され、且つ前記ハウジング本体に回動自在に装着されるインペラと、前記インナーマグネット部が遊挿される収納部が形成され、前記ハウジング本体に水密状に接合される隔壁体とからなり、前記インナーマグネット部のマグネット収納部の外周縁から外方に突出するように形成された前記羽根部形成側の鍔状の外周端縁及び軸方向における該外周端縁寄りの羽根部と、前記隔壁体の収納部の開口内周面との間に設定される隙間は、前記マグネット収納部の外周側面部と前記隔壁体の収納部の前記開口内周面より内径が狭くなる絞り周側面を介して形成された収納内周側面との隙間より狭くしてなることを特徴とするマグネットポンプ。
【請求項２】
請求項１において、前記外周端縁は、前記マグネット収納部の外周に鍔状に突出形成されてなることを特徴とするマグネットポンプ。
【請求項３】
請求項１又は２において、前記収納部の開口箇所には、軸方向に平行となる開口内周面が形成されてなることを特徴とするマグネットポンプ。
【発明の詳細な説明】
【０００１】
【発明の属する技術分野】
本発明は、ハウジング内に装着されたインペラと、該インペラのマグネット部が収納される隔壁体との間に異物が入り込むことを防止したり、たとえ異物の侵入があったとしても、インペラの回動にほとんど影響を与えることがないマグネットポンプに関する。
【０００２】
【従来の技術】
インペラの羽根部とインナーマグネット部とを一体に設けて、前記羽根部をポンプ室に配置し、インナーマグネット部をポンプ室から連なる隔壁体によって形成されたマグネットポンプ室にインナーマグネットを配置して設けたマグネットポンプにおいて、ポンプ室側のインペラと隔壁体との隙間よりインナーマグネットカップリング室側のインペラのインナーマグネットと隔壁体との隙間が、大きくなっているものが、特開平３−７０８９７号（第９図）に示されている。
【０００３】
【発明が解決しようとする課題】
特開平３−７０８９７号の第９図に開示されているポンプ室側のインペラと隔壁体との隙間は、流体内の異物がポンプ室からマグネットカップリング室へ侵入しずらくなっているが、インペラの羽根部の背面と隔壁体との長い距離の間に設けられた隙間であるため、インペラの羽根部の周方向に流体が放出される際に、流体内の異物がそのインペラの羽根部の背面と隔壁体との隙間に侵入した場合、インペラの背面にあるので侵入異物を排出することが難しい。
【０００４】
また、インペラの背面に沿って隔壁体との長い隙間が形成されているので、侵入した異物はポンプ室へ排出されずらくなるだけでなく、その隙間より大きい隙間が設けられているインペラのインナーマグネットと隔壁体とのマグネットカップリング室側への移動も難しくするので、インペラを良好に回転させることが難しくなる。本発明の目的は、インペラと隔壁体側に形成されたインペラの収納部との間に大きな異物が侵入して、インペラの回動に悪影響を及ぼすことを防止することにある。
【０００５】
【課題を解決するための手段】
そこで、発明者は、上記課題を解決すべく鋭意，研究を重ねた結果、本発明を、ハウジング本体と、円筒形状のインナーマグネット部の軸方向先端面に羽根部が形成され、且つ前記ハウジング本体に回動自在に装着されるインペラと、前記インナーマグネット部が遊挿される収納部が形成され、前記ハウジング本体に水密状に接合される隔壁体とからなり、前記インナーマグネット部のマグネット収納部の外周縁から外方に突出するように形成された前記羽根部形成側の鍔状の外周端縁及び軸方向における該外周端縁寄りの羽根部と、前記隔壁体の収納部の開口内周面との間に設定される隙間は、前記マグネット収納部の外周側面部と前記隔壁体の収納部の前記開口内周面より内径が狭くなる絞り周側面を介して形成された収納内周側面との隙間より狭くしてなるマグネットポンプとしたことにより、隔壁体の収納部と該収納部に収納されたインペラのインナーマグネット部との間への異物の侵入を防止し、たとえ侵入する異物があってもインペラの回動に影響を及ぼすことがないようにして、上記課題を解決したものである。
【０００６】
【発明の実施の形態】
以下、本発明の実施形態を図面に基づいて説明する。まず、ポンプハウジングは、ハウジング本体Ａと、隔壁体Ｃとから構成され、前記ポンプハウジング内にインペラＢが回動自在に収納される。前記ハウジング本体Ａには、略円形状のポンプ室１が形成されており、該ポンプ室１は、略円周状の内周側面１ａと略円形状の側面部１ｂとから形成され、前記ポンプ室１の中心位置には、インペラ軸２が装着されており、後述するインペラＢを回動自在に支持する。また、前記ポンプ室１には、吸入口３及び吐出口４が形成されている。
【０００７】
次に、インペラＢは、複数の羽根板片から構成された羽根部５と、インナーマグネット部６とから構成されている。該インナーマグネット部６は、マグネット収納部６ａとインナーマグネット６ｂとから構成されている。前記マグネット収納部６ａは、円筒形状をなしており、該マグネット収納部６ａの内部にインナーマグネット６ｂが装着されている。実際には、インナーマグネット６ｂが合成樹脂による鋳込み状態でマグネット収納部６ａに収納される。
【０００８】
また、インナーマグネット部６の径方向の中心位置で且つ軸方向に沿って軸受部７が装着されており、該軸受部７には、前記インペラ軸２が挿通する構造となっている。前記インナーマグネット部６の軸方向における羽根部５の形成側には、その外周縁から外方に突出するようにして円周状の鍔状の外周端縁６ａ1 が形成されている〔図２（Ａ），（Ｂ）等参照〕。
【０００９】
次に、隔壁体Ｃは、前記ハウジング本体Ａのポンプ室１に対向して装着され、該ポンプ室１と共にインペラＢを収納する部品である。前記隔壁体Ｃは、その外形が略ハット形状をなしており、前記ポンプ室１を被覆するカバー部８と、インペラＢのインナーマグネット部６を収納する円筒形状の収納部９とから形成されている〔図１（Ａ），（Ｂ）又は２（Ａ），（Ｂ）等参照〕。
【００１０】
該収納部９は、その内面側の収納空隙部９ｓにおける開口箇所に、開口内周面９ａが形成され、該開口内周面９ａから収納底面９ｄに向かって次第に内径が狭くなる絞り内周面９ｂが形成されている。該絞り内周面９ｂは、その軸方向における断面形状が円弧状（図３，図４参照）或いは直線状（図３，図４の点線部参照）に形成されている。また、絞り内周面９ｂから収納底面９ｄの間は収納内周壁面９ｃとなっている。該収納底面９ｄの中心には、軸受穴９ｅが形成され、該軸受穴９ｅに前記インペラ軸２が挿入するようになっている〔図１（Ｂ）又は図２（Ａ），（Ｂ）等参照〕。
【００１１】
前記カバー部８には、真円筒形状の連結部８ａが形成され、該連結部８ａには、Ｏ（オー）リング等の密閉材１０が嵌まり込むことができる溝条８ｂが形成されている。そして、前記ハウジング本体Ａのポンプ室１には前記インペラＢが装着され、隔壁体Ｃの連結部８ａが前記ポンプ室１の内周側面１ａに挿入され、前記ハウジング本体Ａと隔壁体Ｃとが水密状に接合されてポンプハウジングが構成される〔図１（Ａ）又は図２等参照〕。
【００１２】
そのポンプハウジングに装着されたインペラＢは、前記ポンプ室１に形成されたインペラ軸２に軸受部７を介して回動自在に装着されている。そして、前記インペラＢのインナーマグネット部６が前記隔壁体Ｃの収納部９の収納空隙部９ｓ内に収納されている〔図１（Ａ），（Ｂ）参照〕。そして、ポンプハウジング内において前記インペラＢのインナーマグネット部６が前記隔壁体Ｃの収納部９の外部に設けられた図示されないアウターマグネットの回転に伴って回転し、これによってインペラＢが回転するものである。
【００１３】
前述したように、前記インペラＢには、マグネット収納部６ａの羽根部５形成側に鍔状の外周端縁６ａ1 が形成されており、前記羽根部５及び外周端縁６ａ1 と、前記隔壁体Ｃの収納部９の開口箇所における内周面との間には隙間ｔ1 が設定される〔図１（Ｂ），図４等参照〕。前記収納部９の開口内周面９ａは、軸方向に平行となる面を有する内周側面として形成されたものである。
【００１４】
また、前記マグネット収納部６ａの外周側面部６ａ2 と前記収納部９の収納内周側面９ｃとの間には隙間ｔ2 が存在する〔図１（Ｂ），図４等参照〕。そして図４に示すように、前記隙間ｔ1 は、隙間ｔ2 よりも小さい寸法となっており、即ち、隙間ｔ1 ＜隙間ｔ2 なる関係となっている。このように、前記隙間ｔ1 と隙間ｔ2 とを設定することにより、ポンプ室を流れる流体内の異物がインペラＢからマグネットカップリング室（収納部９）へ侵入しようとする際に、前記インペラＢの羽根部５及び外周端縁６ａ1 と，隔壁体Ｃの開口内周面９ａとの間の隙間ｔ1 は、極めて小さくすることで、該隙間ｔ1 からインペラ放射方向にかかる圧力によって異物は侵入することができないように排除される。
【００１５】
また、万一，異物が隙間ｔ1 より侵入した場合でも、図４に示すように、該隙間ｔ1 の大きさよりも大きい隙間ｔ2 が設定されているので、前記隙間ｔ1 より小さい異物が侵入してもインペラＢのインナーマグネット部６と隔壁体Ｃの収納内周側面９ｃとの間における干渉が防止され、インペラＢを良好に回転させることができる。
【００１７】
請求項１の発明は、ハウジング本体Ａと、円筒形状のインナーマグネット部６の軸方向先端面に羽根部５が形成され、且つ前記ハウジング本体Ａに回動自在に装着されるインペラＢと、前記インナーマグネット部６が遊挿される収納部９が形成され、前記ハウジング本体Ａに水密状に接合される隔壁体Ｃとからなり、前記インナーマグネット部６のマグネット収納部６ａの外周縁から外方に突出するように形成された前記羽根部形成側の鍔状の外周端縁６ａ1及び軸方向における該外周端縁寄りの羽根部５と、前記隔壁体Ｃの収納部９の開口内周面９ａとの間に設定される隙間ｔ1は、前記マグネット収納部６ａの外周側面部６ａ2と前記隔壁体Ｃの収納部９の前記開口内周面９ａより内径が狭くなる絞り周側面９ｂを介して形成された収納内周側面９ｃとの隙間ｔ2より狭くしてなるマグネットポンプとしたことにより、ポンプハウジング内に装着されたインペラＢと、該インペラＢのインナーマグネット部６が収納される隔壁体Ｃとの間に異物が侵入することを防止し、たとえ異物の侵入があったとしても、インペラＢの回動にほとんど影響を与えることがないようにすることができる等の効果を奏する。
【００１８】
上記効果を詳述すると、前記インナーマグネット部６のマグネット収納部６ａの羽根部５の形成側の外周端縁６ａ1 と，前記収納部９の開口箇所との間隔を隙間ｔ1 とし、外周側面部６ａ2 と，前記収納部９の前記開口内周面９ａより内径が狭くなる絞り周側面９ｂを介して形成された収納内周側面９ｃとの間隔を隙間ｔ2 とし、前記隙間ｔ1 が前記隙間ｔ2 よりも小さくなるように設定しているので、ハウジング内に装着されたインペラＢと、該インペラＢのインナーマグネット部６が収納される隔壁体Ｃとの間に異物が入り込むことを防止したり、その異物をインペラの放射方向に掛かるポンプ圧力によって積極的に排除することができる。
【００１９】
また、万一、隙間ｔ1 より異物が侵入しても、隙間ｔ1 より大きい隙間ｔ2 がインペラＢのインナーマグネット部６と隔壁体Ｃの収納内周側面９ｃとの間に設けられているため、隙間ｔ2 より極めて小さい異物が侵入することになるので、隙間ｔ2 においてインペラＢのインナーマグネット部６と隔壁体Ｃの収納内周側面９ｃとの間に干渉がなく、インペラを良好に回転させることができる。
【００２０】
次に、請求項２の発明は、請求項１において、前記外周端縁６ａ1 は、前記マグネット収納部６ａの外周に鍔状に突出形成されてなるマグネットポンプとしたことにより、前記隔壁体Ｃの収納部９を複雑な形状とすることなく、成形性の良い形状とすることができるので、前記鍔状の外周端縁６ａ1 と収納部９との開口内周面９ａにおける隙間ｔ1 の寸法を小さく設定し、また隙間ｔ2 を隙間ｔ1 に比較して大きく設定する等のことが比較的簡単に行うことができる。
【００２１】
次に、請求項３の発明は、請求項１又は２において、前記収納部９の開口箇所には、軸方向に平行となる開口内周面９ａが形成されてなるマグネットポンプとしたことにより、収納部９の開口内周面９ａは、一定の間隔で、深さ方向に平行に連続する面が形成され、該開口内周面９ａと，前記インナーマグネット部６の羽根部５の形成側の外周部分との間における隙間ｔ1 が軸方向に沿って一定の範囲で連続することになり、より一層、異物の侵入を防止することができる。
【図面の簡単な説明】
【図１】  （Ａ）は本発明が設けられたマグネットポンプの一部断面とした側面図
（Ｂ）はインペラが隔壁体の収納部に収納された状態の縦断側面図
【図２】  （Ａ）はハウジング本体とインペラと一部切除した隔壁体の分解した斜視図
（Ｂ）はハウジング本体と隔壁体との分解した縦断側面図
【図３】  インペラと隔壁体の要部拡大断面図
【図４】  外周端縁と開口内周面との隙間が外周側面部と収納内周面との隙間よりも小さいことを示す拡大断面図
【図１】
0003771125.tif 000002
【図２】
0003771125.tif 000003
【図３】
0003771125.tif 000004
【図４】
0003771125.tif 000005